(57)【要約】【課題】除菌物質を含有する気体により、医療器具の管状部分の内部を十分に除菌し乾燥させることができる医療器具用の除菌ユニット、及びこれを備えた医療器具用の保管庫を提供する。【解決手段】内視鏡１の保管庫１０に除菌ユニット２０を配設する。除菌ユニット２０は除菌物質生成装置２１と機構部２２を含む。除菌物質生成装置２１は保管庫１０の天井部に配置され、機構部２２は内視鏡１の管状部分３をもたせかけるべく保管庫１０の内部に設けられた傾斜構造体１３の背後に置かれている。機構部２２は気流形成装置４０を含む。気流形成装置４０につながる吸引チューブ４４を内視鏡１の管状部分３の先端に接続し、除菌ユニット２０を運転すると、除菌物質生成装置２１で生成されたマイナスイオンを含む空気が管状部分３を通り抜け、管状部分３の内部の除菌と乾燥が遂行される。【選択図】      図１
2005052199.tif 000002
【特許請求の範囲】
【請求項１】
除菌物質生成装置と、この除菌物質生成装置で生成された除菌物質を含有する気体を医療器具の管状部分の内部に強制的に流通させる気流形成装置とを備えた医療器具用の除菌ユニット。
【請求項２】
前記医療器具の管状部分を通り抜けた気体から水分を分離する水分分離器を備えることを特徴とする請求項１に記載の医療器具用の除菌ユニット。
【請求項３】
前記医療器具の管状部分を通り抜けた気体を脱臭する脱臭器を備えることを特徴とする請求項１又は請求項２に記載の医療器具用の除菌ユニット。
【請求項４】
前記除菌物質生成装置で生成される除菌物質がマイナスイオンであることを特徴とする請求項１〜請求項３のいずれか１項に記載の医療器具用の除菌ユニット。
【請求項５】
前記気流形成装置は、前記医療器具の管状部分の一端から吸引を行って気体の強制流通を生ぜしめるものであることを特徴とする請求項１〜請求項４のいずれか１項に記載の医療器具用の除菌ユニット。
【請求項６】
前記除菌物質生成装置は、前記医療器具の管状部分の他端近傍に除菌物質を放出するものであることを特徴とする請求項５に記載の医療器具用の除菌ユニット。
【請求項７】
医療器具が内視鏡であることを特徴とする請求項１〜請求項６のいずれか１項に記載の医療器具用の除菌ユニット。
【請求項８】
請求項１〜請求項７のいずれか１項に記載の医療器具用の除菌ユニットを備えた医療器具用の保管庫。
【請求項９】
庫内空気の消臭装置を備えることを特徴とする請求項８に記載の医療器具用の保管庫。
【請求項１０】
庫内空気の換気装置を備えることを特徴とする請求項８に記載の医療器具用の保管庫。
【請求項１１】
前記換気装置は、庫内に導入する空気に除菌物質を含有させる除菌物質生成装置を含むものであることを特徴とする請求項１０に記載の医療器具用の保管庫。
【請求項１２】
医療器具をもたせかける傾斜構造体を内部に設け、この傾斜構造体の背後に前記医療器具除菌ユニットの機構部を設置したことを特徴とする請求項８〜請求項１１のいずれか１項に記載の医療器具用の保管庫。
【発明の詳細な説明】
【０００１】
【発明の属する技術分野】
本発明は医療器具用の除菌ユニット及びこれを備えた医療器具用の保管庫に関する。
【０００２】
【従来の技術】
医療器具を使用すると、血液、粘液、分泌液、組織片、消化物、薬剤などの汚染物質（目に見える汚れ）が付着する。細菌やウィルスなどの病原微生物（目に見えない汚れ）が付着することもある。従って、ディスポーザルタイプのものを除き、使用後の医療器具は速やかに洗浄して目に見える汚れや目に見えない汚れを除去しなければならない。
【０００３】
目に見える汚れが除去されたとしても、目に見えない汚れまで消滅したとは限らない。病原微生物が生き残っていれば、その医療器具を通じて交差感染症（医療器具に付着している細菌やウィルスを他の人に感染させてしまうこと）が発生するおそれがある。そのため、洗浄後の医療器具にはさらに除菌処置を施す必要がある。
【０００４】
通常の医療器具の場合、洗浄後のものを滅菌機に入れて加熱すれば、除菌と乾燥を同時に行うことができる。しかしながら内視鏡のようにプラスチックを多用した精密機器の場合、滅菌温度帯まで加熱することは不可能なので、薬液や滅菌ガスで除菌を行い、ガスブローで乾燥させることが多い。そのような内視鏡用の除菌装置の一例を特許文献１に見ることができる。特許文献１にはオゾンを用いて除菌を行う内視鏡消毒保管庫が記載されている。
【０００５】
【特許文献１】
実開平７−１９０１号公報
【０００６】
【発明が解決しようとする課題】
特許文献１に記載された内視鏡消毒保管庫は、オゾン発生装置が生成した有効濃度のオゾン気体を散気管より保管庫内に発散させ、保管庫内の対流を利用して内視鏡を消毒している。内視鏡の細管の一方の端からオゾン気体が入り、他方の端から抜けるという気体の流れがうまく形成されればよいが、保管庫内の自然対流にまかせていたのではそのような気流の発生を期待するのは難しい。すなわち保管庫内をオゾン気体で満たしたとしても、内視鏡の細管内の空気の置換が進まず、内視鏡の外面は除菌できたが内面は除菌が不十分といったことになりかねない。
【０００７】
また、内視鏡を加熱しないので、洗浄後の内視鏡の乾燥という面ではほぼ自然乾燥に近い。内視鏡の外面はともかく、内視鏡の管状部分の内部の乾燥には長時間を要する。乾燥が進まないと、管状部分内の残水の中で雑菌が繁殖し、雑菌数が危険レベルに達する可能性がある。
【０００８】
本発明は上記の点に鑑みなされたものであり、その目的とするところは、除菌物質を含有する気体により、医療器具の管状部分の内部を十分に除菌し乾燥させることができる医療器具用の除菌ユニット、及びこれを備えた医療器具用の保管庫を提供することにある。
【０００９】
【課題を解決するための手段】
上記目的を達成するため、本発明では医療器具用の除菌ユニットを次のように構成した。
【００１０】
（１）医療器具用の除菌ユニットが、除菌物質生成装置と、この除菌物質生成装置で生成された除菌物質を含有する気体を医療器具の管状部分の内部に強制的に流通させる気流形成装置とを備えるものとした。
【００１１】
この構成によれば、除菌物質を含有する気体が医療器具の管状部分の内部に確実に送り込まれ、この部分を除菌することができる。また気体の強制流通により、管状部分の内部の乾燥が速やかに進行する。
【００１２】
（２）上記のような医療器具用の除菌ユニットにおいて、前記医療器具の管状部分を通り抜けた気体から水分を分離する水分分離器を備えるものとした。
【００１３】
この構成によれば、真空ポンプなどの気流形成手段に吸い込まれるべき空気から水分を分離し、気流形成手段の故障を防ぐことができる。
【００１４】
（３）上記のような医療器具用の除菌ユニットにおいて、前記医療器具の管状部分を通り抜けた気体を脱臭する脱臭器を備えるものとした。
【００１５】
この構成によれば、医療器具の管状部分の内部で発生した臭いを拡散させずに済む。
【００１６】
（４）上記のような医療器具用の除菌ユニットにおいて、前記除菌物質生成装置で生成される除菌物質がマイナスイオンであるものとした。
【００１７】
この構成によれば、医療器具にダメージを与えることなく除菌を行うことができる。
【００１８】
（５）上記のような医療器具用の除菌ユニットにおいて、前記気流形成装置は、前記医療器具の管状部分の一端から吸引を行って気体の強制流通を生ぜしめるものとした。
【００１９】
この構成によれば、加圧した気体を管状部分に送り込むのと異なり、管状部分を内圧で破損させるおそれがない。また医療器具が内視鏡である場合、内部に複数の細管が存在するが、これらはいずれも管状部分の先端にある細管に連通している。そのため、管状部分の先端から吸引を行うこととすれば、１箇所への接続作業をもってすべての細管の内部に気流を形成することができ、接続作業が容易であるとともに作業効率が高い。
【００２０】
（６）上記のような医療器具用の除菌ユニットにおいて、前記除菌物質生成装置は、前記医療器具の管状部分の他端近傍に除菌物質を放出するものとした。
【００２１】
この構成によれば、管状部分の気流入口部分の除菌物質濃度が高くなり、除菌能力の大きい気体を管状部分に導入することができる。
【００２２】
（７）上記のような医療器具用の除菌ユニットにおいて、医療器具が内視鏡であるものとした。
【００２３】
この構成によれば、精密機器であり、プラスチックを多用している内視鏡をダメージを与えることなく除菌することができる。
【００２４】
また本発明では、医療器具用の保管庫を次のように構成した。
【００２５】
（８）保管庫が上記のような医療器具用の除菌ユニットを備えるものとした。
【００２６】
この構成によれば、庫内の空気に除菌物質を含有させることにより、医療器具を除菌しつつ保管することができる。また既存の保管庫に除菌ユニットを後付けすることにより、除菌機能付きの保管庫とすることができる。保管庫を工場で生産する場合においても、除菌ユニットの組付工程を付加するだけでよく、除菌機能付きの保管庫を効率良く生産できる。
【００２７】
（９）上記のような医療器具用の保管庫において、庫内空気の消臭装置を備えるものとした。
【００２８】
この構成によれば、庫内空気から臭いが消え、医療器具の出し入れを快適に行うことができる。
【００２９】
（１０）上記のような医療器具用の保管庫において、庫内空気の換気装置を備えるものとした。
【００３０】
この構成によれば、保管庫内の湿度を下げ、医療器具の外面を速やかに乾燥させることができる。
【００３１】
（１１）上記のような医療器具用の保管庫において、前記換気装置は、庫内に導入する空気に除菌物質を含有させる除菌物質生成装置を含むものとした。
【００３２】
この構成によれば、庫内に導入する空気そのものを除菌するので、庫外の空気と共に病原微生物が庫内に侵入して医療器具を汚染するおそれを少なくすることができる。
【００３３】
（１２）上記のような医療器具用の保管庫において、医療器具をもたせかける傾斜構造体を内部に設け、この傾斜構造体の背後に前記医療器具用の除菌ユニットの機構部を設置した。
【００３４】
この構成によれば、医療器具を傾斜構造体にもたせかけるので医療器具がぶらつかず、相互に衝突して傷ついたり、からまって取り出しにくくなったりすることがない。また医療器具用の除菌ユニットの機構部の置き場所を傾斜構造体の背後に確保することができるとともに、除菌ユニットの機構部は傾斜構造体によって医療器具から隔離され、医療器具によって傷つけられたり、医療器具から滴った水分で濡らされたりすることがない。
【００３５】
【発明の実施の形態】
以下、本発明の一実施形態を図１〜８に基づき説明する。
【００３６】
図１は医療器具用の保管庫１０の外観斜視図で、要部を断面して内部構造を示している。保管庫１０は内視鏡１の保管を主目的とするものであり、横幅約１，８００ｍｍ、高さ約１，８００ｍｍの市販のキャビネット１１をベースとして構成される。キャビネット１１の正面の引き違い戸１２は、外から庫内が見えるようにガラス戸となっている。キャビネット１１は通常のスチールキャビネットを使用すればよいが、木製や合成樹脂製であっても構わない。
【００３７】
保管庫１０の内部には傾斜構造体１３が設けられる。傾斜構造体１３は、保管庫１０の背面側の内壁上部に上端を接続し、底面側の内壁の途中に下端を接続した板金製の部材である。剛性を高めるため、傾斜構造体１３にはリブの形成や桟の付加といった周知の補強対策を施す。板金でなく、アングル材やパイプ、板材の組み合わせにより傾斜構造体１３を構成することもできる。
【００３８】
傾斜構造体１３の上方の内壁には内視鏡１の本体部２を保持するホルダ１４が横一列に所定間隔で取り付けられている。ホルダ１４に内視鏡１の本体部２を押し込み、管状部分３を下に垂らせば、管状部分３は傾斜構造体１３にもたれる形で安定する。取り付けや取り外しの際に内視鏡１に衝撃が加わらないよう、保管庫１０の内部には要所にクッションを配置しておく。
【００３９】
キャビネット１１に医療器具用の除菌ユニット２０を組み合わせる。除菌ユニット２０は除菌物質生成装置２１と機構部２２からなる。除菌物質生成装置２１は保管庫１０の天井部に配置され、機構部２２は傾斜構造体１３の背後に置かれる。
【００４０】
図２に基づき除菌物質生成装置２１の構成を説明する。図２は除菌物質生成装置２１の概略構成を示す斜視図である。除菌物質生成装置２１はケーシング３０の内部にファン部３１と除菌物質生成部３２を備え、ファン部３１の入口部分を空気浄化フィルター３３で覆った構造である。除菌物質はマイナスイオンであるが、それ以外の物質でもよい。例えばマイナスイオンとプラスイオンが混在するプラズマクラスターイオンでもよく、オゾンでもよい。
【００４１】
ファン部３１を運転すると、上面の空気浄化フィルター３３を通じてケーシング３０に庫内空気が吸い込まれ、ケーシング３０の下面から吐出される。除菌物質生成部３２を運転すれば、除菌物質生成装置２１はマイナスイオンを含有した空気を吐出することになる。ファン部３１による風圧で、マイナスイオンを含有した空気は保管庫１０内の隅々にまで行き渡る。空気浄化フィルター３３は吸い込まれる空気から塵埃を捕集し、塵埃がファン部３１に蓄積して送風能力を低下させたり、ケーシング３０を汚したりするのを防ぐ。
【００４２】
除菌物質生成装置２１はホルダ１４毎に１台ずつ設けるのが望ましいが、除菌物質生成能力が十分に大きければ、複数個のホルダ１４に対し１台の除菌物質生成装置２１を配置する構成としても構わない。
【００４３】
キャビネット１１の上面の片隅には外気導入口１５を設ける。外気導入口１５をパンチング板、金網、ルーバなどで覆い、その下に１台の除菌物質生成装置２１ａを配置する。除菌物質生成装置２１ａを運転すると、外気導入口１５を通じ庫外から空気が吸い込まれる。空気の吸い込みによりキャビネット１１内の気圧が上昇すると、入れ替わりに引き違い戸１２の隙間などを通じて空気が漏出する。すなわち外気導入口１５とその内側の除菌物質生成装置２１ａとは換気装置として機能する。
【００４４】
続いて図３、４に基づき機構部２２の構成を説明する。図３は機構部２２のケーシング内部の構成を示す概略断面図、図４は機構部２２と内視鏡１との接続手段を示す概略構成図である。
【００４５】
機構部２２は、ケーシング内部に気流形成装置４０と庫内空気の消臭装置６０を配置している。気流形成装置４０で気流形成の役割を担うのは真空ポンプ４１である。真空ポンプ４１の吸引口には吸引チューブ４２の一端が接続する。吸引チューブ４２の他端は図４に示す分岐ヘッダ４３に接続する。
【００４６】
分岐ヘッダ４３からはホルダ１４と同数の可撓性吸引チューブ４４が伸び出す。各吸引チューブ４４の途中には閉止バルブ４５及びフィルタ４６が挿入されている。吸引チューブ４４の先端には内視鏡１の管状部分３の先端を受け入れるソケット４７が設けられる。
【００４７】
図５〜７にソケット４７の周辺構造を示す。図５はソケット４７及び内視鏡１の管状部分３の先端を示す斜視図、図６はソケット４７を備えた吸引チューブ４４の先端をホルダ４８に保持させた状態を示す斜視図、図７はホルダ４８の正面図である。
【００４８】
ソケット４７にはフランジ４７ａが形設されている。フランジ４７ａは、管状部分３の先端が不用意に周囲に当たらないようにするためのものである。
【００４９】
吸引チューブ４４は長いので、中から水分などがこぼれて周囲に付着し、汚損を生じることがないよう、取り回しに注意が必要である。そこで、ホルダ４８に吸引チューブ４４の先端を保持させる。ホルダ４８は図７に示すように上部が開いたコ字状断面を有し、吸引チューブ４４を挟み込んで保持する。ホルダ４８は根元をキャビネット１１の内面に固定したスプリング４９の先端に支持されており、図７に見られるように吸引チューブ４４を挟んだ状態で常時は中立位置にある。ホルダ４８あるいは吸引チューブ４４に力を加えれば、スプリング４９は仮想線のようにたわむ。
【００５０】
吸引チューブ４２の途中には内視鏡１の管状部分３を通り抜けた空気から水分を分離する水分分離器５０が挿入される。水分分離器５０の底部からは閉止バルブ５２を備えた排水チューブ５１が伸び出す。排水チューブ５１は保管庫１０内に設けた図示しない排水タンク、又は庫外の排水路に接続する。
【００５１】
真空ポンプ４１の吐出口には吐出チューブ５３の一端が接続される。吐出チューブ５３の途中には内視鏡１の管状部分３を通り抜けた空気を脱臭する脱臭器５４が挿入される。脱臭器５４はケーシングに活性炭などの臭気吸着材を詰め込んだものである。脱臭器５４の下流には流量センサ５５が接続される。吐出チューブ５３の末端は庫外に連通している。
【００５２】
消臭装置６０は庫内空気を吸い込んで消臭を行うものであり、ケーシング６１の中に次の要素を備えている。すなわち空気浄化フィルタ６２、臭気吸着材６３、モータ６４、及びファン６５であって、空気の流れの上流側からこの順で並ぶ。
【００５３】
保管庫１０は次のように用いる。
【００５４】
使用後の内視鏡１を外面・内面ともに洗浄する。引き違い戸１２を開き、空いているホルダ１４に洗浄済みの内視鏡１の本体部２をはめ込む。管状部分３は傾斜構造体１３にもたせかける。空いている吸引チューブ４４をホルダ４８から外し、その先端のソケット４７に管状部分３の先端を差し込む。この吸引チューブ４４の根元の閉止バルブ４５を開き、除菌ユニット２０を運転すると、管状部分３の入口４（図８参照）に端を発し、管状部分３→吸引チューブ４４→分岐ヘッダ４３→吸引チューブ４２→真空ポンプ４１へと続く気流が強制的に形成される。
【００５５】
垂れ下がった管状部分３の先端に吸引チューブ４４を接続して吸引するので、管状部分３の内面に付着していた水分は、風圧に重力が加わる形で降下する。そのため、速やかに管状部分３から抜けるとともに、入口４の方へ逆流する懸念はない。
【００５６】
また内視鏡１の内部には操作部、接眼部、コネクター部などにつながる複数の細管が存在するが、これらはいずれも管状部分３の先端にある細管に連通している。そのため、管状部分３の先端から吸引を行えば、すべての細管の内部に気流を形成することができる。これと逆に細管の入口側から空気を吹き込んで気流を形成しようと思えば、細管毎の入口ポートに送気チューブを接続しなければならない。接続作業に手間がかかるうえ、空気に圧力をかけて送り込むので内視鏡１が内圧で破損するおそれもある。管状部分３の先端から吸引を行えば、１箇所への接続作業をもって複数の細管に一挙に気流を形成できるうえ、細管が内圧で破裂することもない。このように本実施形態の構成の優位性は大きい。
【００５７】
除菌物質生成装置２１は管状部分３の入口４の近傍にマイナスイオンを放出しており、マイナスイオンの濃度が高く除菌能力の大きい空気が管状部分３に吸い込まれる。これにより管状部分３の内面が除菌されるとともに、内面の乾燥が進む。
【００５８】
除菌物質生成装置２１はネジでキャビネット１１に固定すればよいが、このようにするとマイナスイオンの放出部の位置も固定される。しかしながら内視鏡１には消化器系用や気管支用など様々な種類のものがあり、管状部分３の入口４の位置も一様ではない。そこで、可動式の取付スタンドやマグネット固定具を用いて除菌物質生成装置２１を保持し、マイナスイオンの放出部を管状部分３の入口４に向けられるようにしておくとよい。
【００５９】
空気と共に吸引チューブ４４に吸い込まれた異物や水分はフィルタ４６で濾過される。水分を吸収したフィルタ４６は、空気の吸引を長時間続けるうちに乾燥して行く。
【００６０】
分岐ヘッダ４３から吸引チューブ４２に入った空気は、真空ポンプ４１に吸い込まれる前に水分分離器５０で水分を分離される。このため真空ポンプ４１の中に水が入り込むことはない。水分分離器５０にたまった水は、閉止バルブ５２を開くことにより排水チューブ５１を介して排水できる。
【００６１】
真空ポンプ４１から吐出された空気は吐出チューブ５３から脱臭器５４に入る。ここで脱臭された空気が庫外に放出される。
【００６２】
脱臭器５４の下流に配置された流量センサ５５は吐出チューブ５３を通る空気の流量を監視する。管系のどこかがつまって流量が過小になったりすると、管状部分３の内部の除菌や乾燥が不十分になる。このような場合には、保管庫１０の外面に設けた図示しない操作パネルにその旨を表示したり、警報音を発生したりして、使用者の注意を喚起する。
【００６３】
内視鏡１の外面に付着した物質が原因で悪臭が発生することもある。このような悪臭は消臭装置６０が消臭する。消臭装置６０は除菌ユニット２０の運転中絶えず庫内空気を吸い込んでは排出し、庫内に循環気流を形成しており、通り抜ける空気の中の臭い成分を臭気吸着材６３で吸着する。
【００６４】
外気導入口１５の内側の除菌物質生成装置２１ａは、外気導入口１５を通じ庫外から空気を吸い込み、マイナスイオンを添加して庫内に放出する。引き違い戸１２を閉ざしていれば、保管庫１０の内部は若干の陽圧に保たれる。この陽圧のため、キャビネット１１と引き違い戸１２の間の隙間から空気が少しずつ流れ出し、庫外の空気が侵入するのを防ぐ。従って庫外の空気と共に病原微生物が庫内に侵入して内視鏡１を汚染するおそれが少ない。
【００６５】
保管庫１０に入れた時点で内視鏡１の外面が濡れていると、保管庫１０の内部の湿度が上昇する。外気導入口１５の内側の除菌物質形成装置２１ａを運転して換気機能を働かせておけば、庫外に漏れ出す空気と共に水分を排出し、保管庫１０の内部の湿度レベルを低く保つことができる。
【００６６】
除菌ユニット２０は常時運転しておく。これにより保管庫１０は内部が常にマイナスイオンで満たされた状態となり、新たな内視鏡１を収納したとき、直ちに除菌が始まる。また、消臭装置６０が庫内空気を臭いのない状態に保っているので、引き違い戸１２を開けたときに悪臭で不快な思いをすることがない。
【００６７】
機構部２２は前述のように傾斜構造体１３の背後に配置される。このため、分岐ヘッダ４３、吸引チューブ４４、閉止バルブ４５、フィルタ４６などを輻輳しないように配設するのが容易である。機構部２２の位置は低い方がよい。機構部２２の位置が低く、内視鏡１の位置が高ければ、水分の吸引を重力に逆らうことなく行うことができる。また管状部分３の先端と機構部２２とが近づくので、吸引チューブ４４も短くて済む。
【００６８】
除菌と乾燥の終了した内視鏡１はそのまま保管庫１０に入れておき、使用時に取り出せばよい。
【００６９】
以上、本発明の一実施形態につき説明したが、本発明の範囲はこれに限定されるものではなく、発明の主旨を逸脱しない範囲で種々の変更を加えて実施することができる。
【００７０】
【発明の効果】
本発明による医療器具用の除菌ユニットは、除菌物質生成装置で生成された除菌物質を含む気体を、気流形成装置により医療器具の管状部分の内部に強制的に流通させるので、除菌物質を含有する気体が医療器具の管状部分の内部に確実に送り込まれ、この部分を除菌することができる。また気体の強制流通により、管状部分の内部の乾燥が速やかに進行する。気流形成装置は、前記医療器具の管状部分の一端から吸引を行って気体の強制流通を生ぜしめるから、加圧した気体を管状部分に送り込むのと異なり、管状部分を内圧で破損させるおそれがない。医療器具が内視鏡である場合、内部に複数の細管が存在するが、これらはいずれも管状部分の先端にある細管に連通している。そのため、管状部分の先端から吸引を行うこととすれば、１箇所への接続作業をもってすべての細管の内部に気流を形成することができ、接続作業が容易であるとともに作業効率が高い。
【００７１】
そして本発明では、上記のような除菌ユニット医療器具用の保管庫に設置したから、庫内の空気に除菌物質を含有させることにより、医療器具を除菌しつつ保管することができる。また既存の保管庫に除菌ユニットを後付けすることにより、除菌機能付きの保管庫とすることができる。保管庫を工場で生産する場合においても、除菌ユニットの組付工程を付加するだけでよく、除菌機能付きの保管庫を効率良く生産できる。
【図面の簡単な説明】
【図１】本発明の一実施形態に係る医療器具用の保管庫の斜視図
【図２】除菌ユニットの除菌物質生成装置の概略構成を示す斜視図
【図３】除菌ユニットの機構部の構成を示す概略断面図
【図４】除菌ユニットの機構部と内視鏡との接続手段を示す概略構成図
【図５】吸引チューブのソケット及び内視鏡の管状部分の先端を示す斜視図
【図６】吸引チューブの先端をホルダに保持させた状態を示す斜視図
【図７】ホルダの正面図
【図８】内視鏡本体部の斜視図
【符号の説明】
１    内視鏡
２    本体部
３    管状部分
１０  保管庫
１１  キャビネット
１２  引き違い戸
１３  傾斜構造体
１５  外気導入口
２０  除菌ユニット
２１、２１ａ  除菌物質生成装置
２２  機構部
４０  気流形成装置
５０  水分分離器
５４  脱臭器
６０  消臭装置
【図１】
2005052199.tif 000003
【図２】
2005052199.tif 000004
【図３】
2005052199.tif 000005
【図４】
2005052199.tif 000006
【図５】
2005052199.tif 000007
【図６】
2005052199.tif 000008
【図７】
2005052199.tif 000009
【図８】
2005052199.tif 000010